(57)【要約】【課題】商品サンプルを提供することで期待される商品の売上向上効果を高める技術を提供する。【解決手段】店舗システム１は、商品サンプルの申し込み要求を顧客端末から取得する要求取得部１１０と、申し込み要求の取得に応じて、商品サンプルを要求した上で商品を購入する場合に適用される特典を識別する特典識別情報を顧客端末に送信する送信部１２０と、商品の購入時に特典識別情報を取得する特典識別情報取得手段と、取得された特典識別情報に対応する特典を適用する特典識別情報取得部１３０と、を備える。【選択図】図１
2019185488.tif 000002
【特許請求の範囲】
【請求項１】
商品サンプルの申し込み要求を顧客端末から取得する要求取得手段と、
前記申し込み要求の取得に応じて、商品サンプルを要求した上で商品を購入する場合に適用される特典を識別する特典識別情報を前記顧客端末に送信する送信手段と、
前記商品の購入時に前記特典識別情報を取得する特典識別情報取得手段と、
取得された前記特典識別情報に対応する特典を適用する特典適用手段と、
を備える店舗システム。
【請求項２】
前記特典適用手段は、前記商品サンプルを要求した商品に対するディスカウントを、前記特典として適用する、
請求項１に記載の店舗システム。
【請求項３】
商品カテゴリを示すカテゴリ特定情報に基づいて、利用客が希望する商品サンプルのカテゴリを特定するカテゴリ特定手段と、
前記カテゴリ特定手段によって特定されたカテゴリに属する商品であって、商品サンプルを要求可能な商品の一覧を生成して前記顧客端末に提示する一覧生成手段と、を更に備える、
請求項１または２に記載の店舗システム。
【請求項４】
店舗を識別する店舗識別情報を取得する店舗識別情報取得手段を更に備え、
前記一覧生成手段は、前記店舗識別情報が示す店舗において商品サンプルを要求可能な商品を選択して前記一覧に含める、
請求項３に記載の店舗システム。
【請求項５】
前記特典の適用履歴を顧客別に記憶する特典履歴記憶手段を更に備え、
前記一覧生成手段は、前記顧客別の特典の適用履歴に基づいて更に選択される商品を、前記一覧に含める、
請求項３または４に記載の店舗システム。
【請求項６】
コンピュータが、
商品サンプルの申し込み要求を顧客端末から取得し、
前記申し込み要求の取得に応じて、商品サンプルを要求した上で商品を購入する場合に適用される特典を識別する特典識別情報を前記顧客端末に送信し、
前記商品の購入時に前記特典識別情報を取得し、
取得された前記特典識別情報に対応する特典を適用する、
ことを含む商品サンプル提供方法。
【請求項７】
コンピュータに、請求項６に記載の商品サンプル提供方法を実行させるプログラム。
【発明の詳細な説明】
【技術分野】
【０００１】
本発明は、店舗システム、商品サンプル提供方法、およびプログラムに関する。
【背景技術】
【０００２】
利用客が商品を購入するきっかけを作るために、商品サンプルが利用されることがある。なお、商品サンプルに関連する技術の一例として、下記特許文献１乃至３に、利用者に商品サンプルを提供するためのシステムが開示されている。
【先行技術文献】
【特許文献】
【０００３】
【特許文献１】特開２００２−０９９７０１号公報
【特許文献２】特開２００２−２５９５７９号公報
【特許文献３】特開２００６−１０７４１３号公報
【発明の概要】
【発明が解決しようとする課題】
【０００４】
店舗は、商品の売上の増加を主な目的として、商品サンプルを提供する。そのため、商品のサンプルを受け取った利用客が、最終的にその商品を購入して、商品の売上増加に貢献してくれることが望ましい。
【０００５】
本発明は、上記の課題に鑑みてなされたものである。本発明の目的の一つは、商品サンプルを提供することで期待される商品の売上向上効果を高める技術を提供することである。
【課題を解決するための手段】
【０００６】
本発明の店舗システムは、
商品サンプルの申し込み要求を顧客端末から取得する要求取得手段と、
前記申し込み要求の取得に応じて、商品サンプルを要求した上で商品を購入する場合に適用される特典を識別する特典識別情報を前記顧客端末に送信する送信手段と、
前記商品の購入時に前記特典識別情報を取得する特典識別情報取得手段と、
取得された前記特典識別情報に対応する特典を適用する特典適用手段と、
を備える。
【０００７】
本発明の商品サンプル提供方法は、
コンピュータが、
商品サンプルの申し込み要求を顧客端末から取得し、
前記申し込み要求の取得に応じて、商品サンプルを要求した上で商品を購入する場合に適用される特典を識別する特典識別情報を前記顧客端末に送信し、
前記商品の購入時に前記特典識別情報を取得し、
取得された前記特典識別情報に対応する特典を適用する、
ことを含む。
【０００８】
本発明のプログラムは、コンピュータに上述の商品サンプル提供方法を実行させる。
【発明の効果】
【０００９】
本発明によれば、商品サンプルを提供することで期待される商品の売上向上効果を高めることができる。
【図面の簡単な説明】
【００１０】
【図１】第１実施形態における店舗システムの構成を例示する図である。
【図２】店舗システムのハードウエア構成を例示するブロック図である。
【図３】第１実施形態の店舗システムにより実行される、商品サンプルの申し込み要求処理の流れを例示するシーケンス図である。
【図４】第１実施形態の店舗システムにより実行される、商品購入時の処理の流れを例示するフローチャートである。
【図５】第２実施形態における店舗システムの構成例を示す図である。
【図６】第２実施形態の店舗システムにより実行される、商品サンプルの申し込み要求処理の流れを例示するシーケンス図である。
【図７】第３実施形態における店舗システムの構成例を示す図である。
【図８】特典履歴記憶部に記憶される情報の一例を示す図である。
【発明を実施するための形態】
【００１１】
以下、本発明の実施形態について、図面を用いて説明する。尚、すべての図面において、同様な構成要素には同様の符号を付し、適宜説明を省略する。また、特に説明する場合を除き、各ブロック図において、各ブロックは、ハードウエア単位の構成ではなく、機能単位の構成を表している。
【００１２】
［第１実施形態］
〔システム構成例〕
図１を用いて、第１実施形態における店舗システム１の概要について説明する。図１は、第１実施形態における店舗システム１の構成を例示する図である。図１に示されるように、店舗システム１は、要求取得部１１０、送信部１２０、特典識別情報取得部１３０、および特典適用部１４０を備える。図１の例において、これらの処理部は、１台のサーバ装置１０に備えられているが、店舗システム１の構成は図１の例に制限されない。図示されていないが、これらの処理部の全部または一部は、複数のサーバ装置に分散して或いは重複して設けられていてもよい。
【００１３】
まず、店舗の利用客が、顧客端末２０上で所望の商品を選択し、その選択した商品について商品サンプルの申し込み要求を店舗システム１に対して行う。顧客端末２０は、店舗の利用客が使用する端末である。顧客端末２０は、例えば、利用客が所持するスマートフォンやタブレットといった携帯型端末などである。要求取得部１１０は、商品サンプルの申し込み要求を顧客端末２０から取得する。商品サンプルの申し込み要求は、利用者が顧客端末２０上で選択した商品を識別するための情報（商品識別情報）を少なくとも含んでいる。
【００１４】
送信部１２０は、商品サンプルの申し込み要求の取得に応じて、特典識別情報を顧客端末２０に送信する。特典識別情報は、商品サンプルの申し込み要求を行った上で商品を購入する場合によって適用される特典を識別するための情報である。特に限定されないが、適用される特典は、例えば、割引きや値引きといった商品価格のディスカウント、ロイヤリティプログラムで利用可能なポイントの付与などである。特典は、例えば、全ての商品で同じであってもよい。例えば、商品サンプルを利用者宅まで配送するような場合において、配送料相当または配送料以上の金額を商品購入時に差し引く特典が、全ての商品について設定されていてもよい。また、特典は、少なくとも一部の商品で異なっていてもよい。例えば、商品毎に異なる特典が設定されている場合、送信部１２０は、商品サンプルの申し込み要求に含まれる商品識別情報に基づいて、適用され得る特典に関する情報を取得することができる。そして、送信部１２０は、取得した特典に関する情報に基づいて、該特典を識別するための特典識別情報を生成し、顧客端末２０に送信することができる。顧客端末２０を所持する利用客は、商品を実際に購入する際に特典識別情報を入力することによって、その特典識別情報により識別される特典を受けることができる。
【００１５】
特典識別情報取得部１３０は、利用客が商品を購入する時に、顧客端末２０に送信された特典識別情報を取得する。特典識別情報は、例えばＰＯＳ（Point Of Sales）端末に接続された入力装置（図示せず）などを介して入力される。ＰＯＳ端末に接続された入力装置とは、例えば、バーコードリーダ、イメージスキャナ、キーボード、タッチパネル式のディスプレイなどである。特典適用部１４０は、特典識別情報の入力に応じて、その特典識別情報に対応する特典を適用する。
【００１６】
また、店舗システム１は、上述の機能のほか、商品サンプルの申し込み要求に応じて、店員が準備すべき商品サンプルの情報を店員端末３０に通知する機能を有してもよい。一例として、店員端末３０は、商品配送部門の作業場所に設けられている。この場合、配送業務を担当する店員が商品サンプルの準備作業を行う。例えば、配送業務を担当する店員は、要求された商品サンプルの配送手配（商品サンプルの箱詰めや配達依頼など）を行う。また他の一例として、店員端末３０は、サービスカウンターに設けられている。この場合、サービスカウンターでの接客業務を担当する店員が商品サンプルの準備作業を行う。サービスカウンターでの接客業務を担当する店員は、例えば、要求された商品サンプルをバックヤードなどからピックアップし、その商品サンプルを利用客に受け渡す準備を整える。
【００１７】
〔ハードウエア構成例〕
店舗システム１の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、店舗システム１の各機能構成部が、サーバ装置１０においてハードウエアとソフトウエアとの組み合わせで実現される場合について、さらに説明する。
【００１８】
図２は、店舗システム１のハードウエア構成を例示するブロック図である。サーバ装置１０は、バス１０１０、プロセッサ１０２０、メモリ１０３０、ストレージデバイス１０４０、入出力インタフェース１０５０、及びネットワークインタフェース１０６０を有する。
【００１９】
バス１０１０は、プロセッサ１０２０、メモリ１０３０、ストレージデバイス１０４０、入出力インタフェース１０５０、及びネットワークインタフェース１０６０が、相互にデータを送受信するためのデータ伝送路である。ただし、プロセッサ１０２０などを互いに接続する方法は、バス接続に限定されない。
【００２０】
プロセッサ１０２０は、ＣＰＵ（Central Processing Unit） やＧＰＵ（Graphics Processing Unit）などで実現されるプロセッサである。
【００２１】
メモリ１０３０は、ＲＡＭ（Random Access Memory）などで実現される主記憶装置である。
【００２２】
ストレージデバイス１０４０は、ＨＤＤ（Hard Disk Drive）、ＳＳＤ（Solid State Drive）、メモリカード、又はＲＯＭ（Read Only Memory）などで実現される補助記憶装置である。ストレージデバイス１０４０は店舗システム１の各機能（要求取得部１１０、送信部１２０、特典識別情報取得部１３０、および特典適用部１４０など）を実現するプログラムモジュールを記憶している。プロセッサ１０２０がこれら各プログラムモジュールをメモリ１０３０上に読み込んで実行することで、そのプログラムモジュールに対応する各機能が実現される。
【００２３】
入出力インタフェース１０５０は、サーバ装置１０と各種入出力デバイスとを接続するためのインタフェースである。図示していないが、サーバ装置１０には、キーボードやマウスなどの入力装置、ディスプレイやスピーカーといった出力装置などが接続され得る。
【００２４】
ネットワークインタフェース１０６０は、サーバ装置１０をネットワークに接続するためのインタフェースである。このネットワークは、例えばＬＡＮ（Local Area Network）やＷＡＮ（Wide Area Network）である。ネットワークインタフェース１０６０がネットワークに接続する方法は、無線接続であってもよいし、有線接続であってもよい。図２の例では、サーバ装置１０は、ネットワークインタフェース１０６０を介して、顧客端末２０や店員端末３０と通信可能に接続されている。
【００２５】
〔処理の流れ〕
以下、図を用いて、本実施形態の店舗システム１により実行される処理の流れを説明する。
【００２６】
＜商品サンプルの申し込み要求処理＞
図３は、第１実施形態の店舗システム１により実行される、商品サンプルの申し込み要求処理の流れを例示するシーケンス図である。
【００２７】
まず、利用客は、顧客端末２０上で、専用のサイトにアクセスまたは専用のアプリケーションを起動する（Ｓ１０２）。そして、顧客端末２０は、商品サンプルの要求に必要な情報の入力操作を受け付ける（Ｓ１０４）。そして、顧客端末２０は、入力された情報に基づいて、商品サンプルの申し込み要求をサーバ装置１０に送信する（Ｓ１０６）。顧客端末２０から送信された商品サンプルの申し込み要求は、要求取得部１１０によって取得される。
【００２８】
一例として、利用客は、例えば商品の名称や商品毎に割り当てられたＩＤ（Identifier）などの商品識別情報を顧客端末２０の入力装置を介して入力する操作を行うことができる。この場合、顧客端末２０は、入力された商品識別情報を含めて商品サンプルの申し込み要求を送信する。また、利用客は、顧客端末２０の画面上に表示された商品の一覧の中から所望の商品を選択してもよい。この場合、顧客端末２０は、一覧上で選択された商品に対応する商品識別情報を含む商品サンプルの申し込み要求をサーバ装置１０に送信する。また、利用客は、顧客端末２０に備えられたカメラ機能を用いて所望の商品の外観画像を取得してもよい。この場合、顧客端末２０は、商品の外観画像を画像認識エンジン（図示せず）などに入力してことによって商品を識別し、識別された商品に対応する商品識別情報を含むサンプル商品の申し込み要求をサーバ装置１０に送信する。また、商品サンプルを利用者の自宅等に配送する場合、利用者の氏名、住所、電話番号、メールアドレス等の情報が更に入力されてもよい。
【００２９】
顧客端末２０から送信された商品サンプルの申し込み要求が要求取得部１１０によって取得されると、送信部１２０は特典識別情報を顧客端末２０に送信する（Ｓ１０８）。特典識別情報は、例えば、商品サンプルの申し込み要求に応じて顧客端末２０に表示される画面に含まれる。例えば、特典識別情報は、特典の内容（値引き額や割引き額、付与されるポイント数など）を示す情報であってもよいし、特典毎に割り当てられたＩＤ（Identifier）といった特典の内容を識別する情報であってもよい。また、特典識別情報は、これらの情報のいずれかがエンコードされた１次元または２次元のコードシンボルであってもよい。また、特典識別情報は、商品サンプルの申し込み要求を行った利用客を特定する情報であってもよい。
【００３０】
ここで、全ての商品に共通の特典が設定されている場合、送信部１２０は、その特典の内容を基に特典識別情報を生成することができる。また、商品毎に異なる特典が設定されている場合、送信部１２０は、商品サンプルの申し込み要求に含まれる商品識別情報に基づいて取得される、商品別の特典の内容を基に特典識別情報を生成することができる。また、送信部１２０は、Ｓ１０４の処理において、商品サンプルを希望する利用客の情報が入力されている場合、当該利用客を特定する情報を特典識別情報に付加してもよい。利用客は、商品サンプルを試した後で実際に商品の購入する際、特典識別情報を提示することによって、特典識別情報に対応する特典を受けることができる。
【００３１】
また、顧客端末２０から送信された商品サンプルの申し込み要求が要求取得部１１０によって取得された場合、サーバ装置１０は、店員が準備すべき商品サンプルの情報（例えば、商品名または商品ＩＤなど）を店員端末３０に通知してもよい（Ｓ１１０）。店員端末３０は、サーバ装置１０から通知された情報を、例えば店員端末３０のディスプレイ上に出力する（Ｓ１１２）。店員は、店員端末３０のディスプレイに出力された情報を確認して、商品サンプルの準備作業を行う。ここで、店員端末３０は、例えば、商品配送部門の作業場所に設けられている。この場合、配送業務を担当する店員が商品サンプルの準備作業を行う。例えば、配送業務を担当する店員は、要求された商品サンプルの配送手配（商品サンプルの箱詰めや配達依頼など）を行う。また例えば、店員端末３０は、サービスカウンターに設けられていてもよい。この場合、サービスカウンターを担当する店員が商品サンプルの準備作業を行う。例えば、サービスカウンターを担当する店員は、要求された商品サンプルをバックヤードなどから運んできて、その商品サンプルを利用客に受け渡す準備を整える。
【００３２】
＜商品購入時の処理＞
図４は、第１実施形態の店舗システム１により実行される、商品購入時の処理の流れを例示するフローチャートである。
【００３３】
特典識別情報取得部１３０は、商品の購入時に、Ｓ１０８の処理で顧客端末２０に送信した特典識別情報を取得する（Ｓ１００２）。特典識別情報は、例えばレジカウンターに設けられたＰＯＳ端末（図示せず）に入力される。一例として、利用客は、特典の内容（値引き額や割引き額、付与されるポイント数など）を示す情報や特典毎に割り当てられたＩＤ（Identifier）といった特典の内容を識別する情報を含む画面を顧客端末２０に表示させて、その画面を店員に提示することができる。この場合、店員は、画面の表示内容を確認して、特典識別情報をＰＯＳ端末上で入力することができる。なお、特典識別情報が１次元または２次元のコードシンボルにエンコードされている場合、店員は、図示しない読取機器を用いて、コードシンボルにエンコードされた特典識別情報をＰＯＳ端末上で入力することができる。特典識別情報取得部１３０は、このように入力された特典識別情報を、ネットワークインタフェース１０６０を介して取得することができる。また、特典識別情報に、利用客を特定する情報が付加されている場合、特典識別情報取得部１３０は、この利用客を特定する情報を併せて取得してもよい。店舗システム１は、利用客を特定する情報の取得に応じて、商品サンプルを要求した利用客が商品を実際に購入することを把握できる。
【００３４】
特典適用部１４０は、特典識別情報取得部１３０により取得された特典識別情報により識別される特典を適用する（Ｓ１００４）。例えば、特典識別情報により識別される特典が、商品サンプルを要求した商品の割引きである場合、特典適用部１４０は、購入対象として登録された商品の価格に対して、特典識別情報に対応する割引を適用する。
【００３５】
以上、本実施形態によれば、商品サンプルを要求した利用客に対して特典を与えることによって、利用客の商品購買意欲を高めることができる。すなわち、商品サンプルを受け取った利用客が最終的に商品を購入する可能性を高めることができる。この結果、商品の売上をより多く増加させる効果が期待できる。
【００３６】
［第２実施形態］
本実施形態は、以下の点を除き、第１実施形態と同様である。
【００３７】
〔システム構成〕
図５は、第２実施形態における店舗システム１の構成例を示す図である。図５に示されるように、本実施形態の店舗システム１は、カテゴリ特定部１５０、一覧生成部１６０、および店舗識別情報取得部１７０を更に備える。
【００３８】
カテゴリ特定部１５０は、商品のカテゴリを示すカテゴリ特定情報を顧客端末２０から取得する。例えば、カテゴリ特定部１５０は、商品のバーコードの読取結果、商品の外観画像、または、店舗に配置されたＰＯＰの画像などを、カテゴリ特定情報として取得することができる。そして、カテゴリ特定部１５０は、取得したカテゴリ特定情報に基づいて、利用者が希望する商品サンプルのカテゴリを特定する。具体的には、カテゴリ特定部１５０は、商品のバーコードの読取結果（商品識別情報）に関連付けられた商品の名称などのカテゴリを示し得る情報に基づいて、利用者が希望する商品サンプルのカテゴリを特定することができる。また、カテゴリ特定部１５０は、商品やＰＯＰの画像を解析して得られる商品の情報（商品の名称など）に基づいて、利用者が希望する商品サンプルのカテゴリを特定することができる。より具体的には、画像を解析した結果として「○○ケチャップ」といった商品の名称が取得された場合、カテゴリ特定部１５０は、「ケチャップ」を、利用者が希望する商品サンプルのカテゴリとして特定することができる。
【００３９】
一覧生成部１６０は、カテゴリ特定部１５０により特定されたカテゴリに属する商品であって、商品サンプルを要求可能な商品の一覧を生成する。また、一覧生成部１６０は、生成した商品の一覧を、顧客端末２０に提示する。ここで、要求可能な商品サンプルの種類が、店舗毎に異なっている場合も考えられる。そこで、一覧生成部１６０は、店舗を識別するための店舗識別情報に基づいて、その店舗において商品サンプルを要求可能な商品を絞り込むように構成されていてもよい。店舗識別情報取得部１７０は、店舗毎に要求可能な商品を絞り込むために、店舗識別情報を取得する。店舗識別情報取得部１７０は、例えば、顧客端末２０上で入力される店舗識別情報を取得することができる。また例えば、店舗識別情報取得部１７０は、顧客端末２０の位置情報（例えばＧＰＳ（Global Positioning System）情報）などに基づいて、その位置情報の最寄りの店舗を示す店舗識別情報を取得してもよい。
【００４０】
〔ハードウエア構成〕
本実施形態の店舗システム１は、第１実施形態と同様のハードウエア構成（例：図２）を有する。なお、本実施形態のストレージデバイス１０４０は、上述のカテゴリ特定部１５０、一覧生成部１６０、および店舗識別情報取得部１７０の機能を実現するプログラムモジュールを更に記憶している。本実施形態のプロセッサ１０２０が、これらプログラムモジュールをそれぞれメモリ１０３０上に読み出して実行することにより、上述の各機能が実現される。
【００４１】
〔処理の流れ〕
以下、図を用いて、本実施形態の店舗システム１により実行される処理の流れを説明する。図６は、第２実施形態の店舗システム１により実行される、商品サンプルの申し込み要求処理の流れを例示するシーケンス図である。
【００４２】
まず、利用客は、顧客端末２０上で、専用のサイトにアクセスまたは専用のアプリケーションを起動する（Ｓ２０２）。
【００４３】
本実施形態の例では、利用客は、顧客端末２０を用いて、商品サンプルのカテゴリを特定するためのカテゴリ特定情報を取得する（Ｓ２０４）。一例として、利用客は、顧客端末２０のカメラ機能などを利用して、商品のバーコードの画像、商品の外観画像、または、商品の近傍に配置されているＰＯＰの画像などを、カテゴリ特定情報として取得することができる。
【００４４】
さらに本実施形態の例では、顧客端末２０は、店舗を識別するための店舗識別情報を取得する（Ｓ２０６）。一例として、顧客端末２０は、利用客により入力された店舗名などの情報を、店舗識別情報として取得することができる。他の一例として、顧客端末２０は、自身が保持している位置情報（例えば、ＧＰＳ情報）を読み出してもよい。
【００４５】
顧客端末２０は、Ｓ２０４の処理で取得したカテゴリ特定情報と、Ｓ２０６の処理で取得した店舗識別情報とを含む一覧生成要求を、サーバ装置１０に送信する（Ｓ２０８）。Ｓ２０４の処理で取得したカテゴリ特定情報およびＳ２０６の処理で取得した店舗識別情報は、それぞれ、サーバ装置１０のカテゴリ特定部１５０および店舗識別情報取得部１７０に入力される。
【００４６】
カテゴリ特定部１５０は、入力されたカテゴリ特定情報に基づいて、利用者が希望する商品サンプルのカテゴリを特定する（Ｓ２１０）。例えば、カテゴリ特定部１５０は、商品の外観画像やＰＯＰ画像を解析した結果として「○○ケチャップ」といった商品の名称が取得された場合、カテゴリ特定部１５０は、「ケチャップ」を、利用者が希望する商品サンプルのカテゴリとして特定することができる。また、カテゴリ特定部１５０は、バーコードの画像を解析することによって当該バーコードにエンコードされた商品識別情報を取得し、その商品識別情報に関連付けられた商品の名称や部門などの情報を基に、商品サンプルのカテゴリを特定してもよい。
【００４７】
また、店舗識別情報取得部１７０は、入力された店舗識別情報が示す店舗において商品サンプルを要求可能な商品に関する情報を抽出する（Ｓ２１２）。なお、商品サンプルを要求可能な商品に関する情報は、例えば、ストレージデバイス１０４０の中に店舗毎に記憶されている。一例として、サーバ装置１０は、各店舗の商品サンプルの在庫状況を各店舗の端末から定期的に収集し、ストレージデバイス１０４０に記憶する情報を更新している。
【００４８】
そして、一覧生成部１６０は、Ｓ２１０の処理の結果と、Ｓ２１２の処理の結果を基に、サンプル商品を要求可能な商品の一覧を生成する（Ｓ２１４）。例えば、一覧生成部１６０は、Ｓ２１２の処理で抽出された商品サンプル情報を要求可能な商品の中から、Ｓ２１０の処理で特定されたカテゴリに属する商品を特定する。そして、一覧生成部１６０は、特定した商品を含む一覧の描画データを生成する。一覧生成部１６０は、商品の一覧を表示させる描画データを、顧客端末２０に送信する（Ｓ２１６）。
【００４９】
利用客は、顧客端末２０上に表示された、商品の一覧の中から、商品サンプルを要求する商品を選択する（Ｓ２１８）。そして、顧客端末２０は、選択された商品の商品サンプルの申し込み要求をサーバ装置１０に送信する（Ｓ２２０）。以降のＳ２２２からＳ２２６の処理は、それぞれ、図３のＳ１０８からＳ１１２の処理と同様である。
【００５０】
以上、本実施形態では、商品サンプルの申し込み要求を行う際、利用客が希望する商品サンプルのカテゴリに属する商品の一覧が顧客端末２０に表示される。これにより、利用客が実行すべき操作が簡略化され、店舗システム１のユーザビリティを向上させる効果が期待できる。また、本実施形態では、商品サンプルの申し込み要求を行う際、商品サンプルを要求可能な商品が店舗毎に特定されて、顧客端末２０上で一覧表示される。これにより、対象とする店舗において商品サンプルを要求可能な商品を、利用客が容易に把握できる。
【００５１】
［第３実施形態］
本実施形態は、以下の点を除き、第２実施形態と同様の構成を有する。
【００５２】
図７は、第３実施形態における店舗システム１の構成例を示す図である。図７に示されるように、本実施形態の店舗システム１は、特典履歴記憶部１８０を更に備える。特典履歴記憶部１８０は、上述の特典識別情報を提示することによって適用された特典の履歴を、顧客別に記憶している。また、本実施形態において、一覧生成部１６０は、特典履歴記憶部１８０に記憶されている顧客別の特典の適用履歴に基づいて商品を更に選択して、顧客端末２０に表示させる一覧に含める。ここで、一覧生成部１６０は、商品サンプルを要求した商品のカテゴリとは異なるカテゴリに属する商品を、一覧に含む商品として選択してもよい。
【００５３】
本実施形態における一覧生成部１６０の動作の具体例を説明する。ここでは、一例として、「Ａ」という識別情報が付与された利用客が、「ケチャップ」のカテゴリに属する商品の商品サンプルを要求した後、その商品を実際に購入した場合を想定する。この場合、特典履歴記憶部１８０には、例えば図８に示すような情報が記憶されることになる。図８は、特典履歴記憶部１８０に記憶される情報の一例を示す図である。図８の例では、特典の適用履歴を示す情報が、その特典を受けるための商品サンプルの申し込み要求を行った利用客を特定する情報と対応付けて記憶されている。その後、当該利用客が、別の商品サンプルの申し込み要求を行うために、例えば、専用のサイトにアクセス（ログイン）する。この時、顧客端末２０には、利用客の識別情報「Ａ」が入力され、サーバ装置１０に送信される。そして、一覧生成部１６０は、利用客の識別情報「Ａ」に対応する情報を、特典履歴記憶部１８０の中から読み出す。そして、一覧生成部１６０は、読み出した特典の適用履歴を示す情報に基づいて、「ケチャップ」に属する商品の商品サンプルが要求された後にその商品が購入されたことを特定する。そして、一覧生成部１６０は、「ケチャップ」に関連するカテゴリの商品を一覧に含める商品として選択することができる。具体的な例として、一覧生成部１６０は、「パスタ（乾麺）」というカテゴリに属する商品を一覧に含めてもよい。なお、異なるカテゴリ間の対応関係（例えば、「ケチャップ」と「パスタ（乾麺）」との対応関係）を示す情報は、ストレージデバイス１０４０などに予め記憶されている。また、一覧生成部１６０は、「ケチャップ」というカテゴリに属する商品のうち、利用客が特典を利用して購入した商品以外の商品を一覧に含めてもよい。
【００５４】
以上、本実施形態によれば、利用客がある商品の商品サンプルを要求した後でその商品を購入した場合、購入した商品に関連する商品のサンプルをその利用客にお薦めすることができる。これにより、関連商品を併せて利用客に購入するきっかけを与えることができる。この結果、商品の販売機会が増加して、店舗の売上を拡大させる効果が期待できる。
【００５５】
以上、図面を参照して本発明の実施形態について述べたが、これらは本発明の例示であり、上記以外の様々な構成を採用することもできる。
【００５６】
また、上述の説明で用いたシーケンス図やフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００５７】
上記の実施形態の一部または全部は、以下の付記のようにも記載されうるが、以下に限られない。
１．
商品サンプルの申し込み要求を顧客端末から取得する要求取得手段と、
前記申し込み要求の取得に応じて、商品サンプルを要求した上で商品を購入する場合に適用される特典を識別する特典識別情報を前記顧客端末に送信する送信手段と、
前記商品の購入時に前記特典識別情報を取得する特典識別情報取得手段と、
取得された前記特典識別情報に対応する特典を適用する特典適用手段と、
を備える店舗システム。
２．
前記特典適用手段は、前記商品サンプルを要求した商品に対するディスカウントを、前記特典として適用する、
１．に記載の店舗システム。
３．
商品カテゴリを示すカテゴリ特定情報に基づいて、利用客が希望する商品サンプルのカテゴリを特定するカテゴリ特定手段と、
前記カテゴリ特定手段によって特定されたカテゴリに属する商品であって、商品サンプルを要求可能な商品の一覧を生成して前記顧客端末に提示する一覧生成手段と、を更に備える、
１．または２．に記載の店舗システム。
４．
店舗を識別する店舗識別情報を取得する店舗識別情報取得手段を更に備え、
前記一覧生成手段は、前記店舗識別情報が示す店舗において商品サンプルを要求可能な商品を選択して前記一覧に含める、
３．に記載の店舗システム。
５．
前記特典の適用履歴を顧客別に記憶する特典履歴記憶手段を更に備え、
前記一覧生成手段は、前記顧客別の特典の適用履歴に基づいて更に選択される商品を、前記一覧に含める、
３．または４．に記載の店舗システム。
６．
コンピュータが、
商品サンプルの申し込み要求を顧客端末から取得し、
前記申し込み要求の取得に応じて、商品サンプルを要求した上で商品を購入する場合に適用される特典を識別する特典識別情報を前記顧客端末に送信し、
前記商品の購入時に前記特典識別情報を取得し、
取得された前記特典識別情報に対応する特典を適用する、
ことを含む商品サンプル提供方法。
７．
前記コンピュータが、前記商品サンプルを要求した商品に対するディスカウントを、前記特典として適用する、
ことを含む６．に記載の商品サンプル提供方法。
８．
前記コンピュータが、
商品カテゴリを示すカテゴリ特定情報に基づいて、利用客が希望する商品サンプルのカテゴリを特定し、
前記特定されたカテゴリに属する商品であって、商品サンプルを要求可能な商品の一覧を生成して前記顧客端末に提示する、
ことを含む６．または７．に記載の商品サンプル提供方法。
９．
前記コンピュータが、
店舗を識別する店舗識別情報を取得し、
前記店舗識別情報が示す店舗において商品サンプルを要求可能な商品を選択して前記一覧に含める、
ことを含む８．に記載の商品サンプル提供方法。
１０．
前記コンピュータが、
前記特典の適用履歴を顧客別に記憶する特典履歴記憶部を参照し、前記顧客別の特典の適用履歴に基づいて更に選択される商品を、前記一覧に含める、
ことを含む８．または９．に記載の商品サンプル提供方法。
１１．
コンピュータに、６．から１０．のいずれか１つに記載の商品サンプル提供方法を実行させるプログラム。
【符号の説明】
【００５８】
１  店舗システム
１０  サーバ装置
１０１０  バス
１０２０  プロセッサ
１０３０  メモリ
１０４０  ストレージデバイス
１０５０  入出力インタフェース
１０６０  ネットワークインタフェース
１１０  要求取得部
１２０  送信部
１３０  特典識別情報取得部
１４０  特典適用部
１５０  カテゴリ特定部
１６０  一覧生成部
１７０  店舗識別情報取得部
１８０  特典履歴記憶部
２０  顧客端末
３０  店員端末
【図１】
2019185488.tif 000003
【図２】
2019185488.tif 000004
【図３】
2019185488.tif 000005
【図４】
2019185488.tif 000006
【図５】
2019185488.tif 000007
【図６】
2019185488.tif 000008
【図７】
2019185488.tif 000009
【図８】
2019185488.tif 000010
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
商品サンプルの申し込み要求を顧客端末から取得する要求取得手段と、
前記申し込み要求の取得に応じて、商品サンプルを要求した上で商品を購入する場合に適用される特典を識別する特典識別情報を前記顧客端末に送信する送信手段と、
実店舗における前記商品の購入時に前記特典識別情報を前記顧客端末から取得する特典識別情報取得手段と、
前記実店舗における前記商品の購入時において、取得された前記特典識別情報に対応する特典を適用する特典適用手段と、
を備える店舗システム。
【請求項２】
前記特典適用手段は、前記商品サンプルを要求した商品に対するディスカウントを、前記特典として適用する、
請求項１に記載の店舗システム。
【請求項３】
商品カテゴリを示すカテゴリ特定情報に基づいて、利用客が希望する商品サンプルのカテゴリを特定するカテゴリ特定手段と、
前記カテゴリ特定手段によって特定されたカテゴリに属する商品であって、商品サンプルを要求可能な商品の一覧を生成して前記顧客端末に提示する一覧生成手段と、を更に備える、
請求項１または２に記載の店舗システム。
【請求項４】
店舗を識別する店舗識別情報を取得する店舗識別情報取得手段を更に備え、
前記一覧生成手段は、前記店舗識別情報が示す店舗において商品サンプルを要求可能な商品を選択して前記一覧に含める、
請求項３に記載の店舗システム。
【請求項５】
前記特典の適用履歴を顧客別に記憶する特典履歴記憶手段を更に備え、
前記一覧生成手段は、前記顧客別の特典の適用履歴に基づいて更に選択される商品を、前記一覧に含める、
請求項３または４に記載の店舗システム。
【請求項６】
コンピュータが、
商品サンプルの申し込み要求を顧客端末から取得し、
前記申し込み要求の取得に応じて、商品サンプルを要求した上で商品を購入する場合に適用される特典を識別する特典識別情報を前記顧客端末に送信し、
実店舗における前記商品の購入時に前記顧客端末から前記特典識別情報を取得し、
前記実店舗における前記商品の購入時において、取得された前記特典識別情報に対応する特典を適用する、
ことを含む商品サンプル提供方法。
【請求項７】
コンピュータに、請求項６に記載の商品サンプル提供方法を実行させるプログラム。